(57)【要約】【課題】野縁や野縁受けなどから構成される天井下地構造体の上を歩行可能な簡易な通路を短時間にかつ簡単に製作することが可能な天井下地構造体を提供する。【解決手段】天井下地構造体１０上の歩行路形成予定箇所を横断する各野縁受け１３に保持金具１６を装着し、歩行板２０を構成する複数の板体２１のリップ板２１ｃを保持金具１６の上に設けた係止部１７のスリット（係止溝）１９に差し込んで係止しながら送り出し、各板体２１を継ぎ手部２２で継ぎ足しながら歩行路形成予定箇所に歩行板２０を形成する。【選択図】図１
2010255308.tif 000002
【特許請求の範囲】
【請求項１】
建築構造物の躯体天井部に取り付けられた取付けボルトと、該取付けボルトに取り付けられたハンガーにより支持された野縁受けと、この野縁受けに連結された野縁とから構成される天井下地構造体において、
前記天井下地構造体上の歩行路形成予定箇所を横断する前記各野縁受けに装着される複数の保持金具と、一端部に継ぎ手部を備え、この継ぎ手部が他端部に嵌合して相互に接続可能な複数の細長い板体により構成された歩行板と、前記各板体に設けられた係止片と、この歩行板が前記保持金具の上部に載せられて通路とされるとき、前記各係止片に係合する、前記保持金具のそれぞれ上面に設けられた係止部とから構成され、
前記各板体の前記係止片と前記保持金具の前記上面に設けられた前記係止部とが、前記板体をその長さ方向に移動可能にし、かつ幅方向及び上方向に係止し、
前記歩行板が、前記各板体の前記各係止片を前記保持金具の前記係止部に係止させた状態で前記一端部の前記継ぎ手部を次の前記板体の前記他端部に順次嵌合して継ぎ足しながら繰り出して前記歩行路形成予定箇所の前記野縁受け上に設置されることを特徴とする天井下地構造体。
【請求項２】
前記保持金具が、断面逆Ｕ字形を呈し、その溝部に前記野縁受けを相対的に嵌合するように前記野縁受けの上部から装着される請求項１に記載の天井下地構造体。
【請求項３】
前記係止部が、前記保持金具の上面において前記野縁受けの長さ方向に形成された係入溝から構成されている請求項１又は２に記載の天井下地構造体。
【請求項４】
前記板体が、細長い基板と、該基板の両側縁部から張り出した一対の脚板と、これら脚板の前記側縁部とは反対側の下端縁から相対向する方向に張り出したフランジ部とから構成され、前記フランジ部が、前記保持金具の上面に形成された前記係止部に係止する係止片である請求項１〜３のいずれかに記載の天井下地構造体。
【請求項５】
前記各板体の前記一端部に設けられた前記継ぎ手部が、前記板体の前記基板と前記両脚板の内面に取り付けられ、前記板体の前記一端部からその長さ方向外方に突出したコ字型継ぎ手から構成され、このコ字型継ぎ手が前記板体の前記他端に嵌合して継ぎ足されて前記歩行板となる請求項１〜４のいずれかに記載の天井下地構造体。
【発明の詳細な説明】
【技術分野】
【０００１】
本発明は、天井下地構造体に関し、更に詳細には、天井裏、即ち天井下地構造体の上を点検者や作業者が歩行可能な通路を備える天井下地構造体に関する。
【背景技術】
【０００２】
一般的に、鉄筋コンクリート造等の建築構造物における天井部には、該躯体天井部から所定の間隔を開けて天井下地構造体が設置されていることは既によく知られている。天井下地構造体は、特許文献１に開示されているように多数の野縁と多数の野縁受けとを格子状に組み立てることにより構成され、野縁受けは、躯体天井部に埋め込まれた取付けボルトとこの取付けボルトに取り付けられたハンガーとにより支持され、野縁は、野縁受けに固定クリップなどを用いて連結されている。天井パネルは、この天井下地構造体の野縁に取り付けられる。
【０００３】
このように格子状に組み立てられた野縁と野縁受けとから構成される天井下地構造体の上、即ち所謂「天井裏」と称する空間には、電気設備のための電線、通信機器機のための通信ケーブル、或いは天井設置形の空調機など様々な設備や配線が設置されている。このような天井裏では、電線や通信ケーブルの修理及び変更、新たな電線や通信ケーブルの設置、或いはこれら電線、通信ケーブル又は様々な設備の点検のために、天井下地構造体の設置後に点検者或いは作業者が天井裏に入る必要があった。しかしながら、野縁及び野縁受けなどから構成される天井下地構造体では、一般的に、野縁に取り付けられた天井パネルに点検口を形成することはあっても、天井裏に点検者や作業者が入って天井下地構造体の上を歩き回れるような通路は形成されていない。
【０００４】
そのため、上述した天井下地構造体を備える多く建築構造物では、天井裏に点検者や作業者が入って点検や作業をすることができないので、野縁に取り付けられている天井パネルの全部若しくは一部を外して天井裏を露出させて必要な点検や作業を行っていた。しかし、天井パネルを外して天井裏を露出させることによって天井裏に設備された電線や通信ケーブルの点検、変更或いは新設作業は、非常にコストが掛かると共に工期も長くなることから、特許文献２に開示されているように天井裏に簡易なキャットウオークと称する歩行路を形成する技術が提案された。特許文献２に開示されたシステム天井では、取付けボルトなどで支持された複数の下地バー間の上に断面コ字状の２本のＣ型鋼材を適宜の間隔で並行に配置し、これら２本の鋼材間に複数の吊り止め材を配置し、この吊り止め材の上に足場板を差し渡すものであった。
【先行技術文献】
【特許文献】
【０００５】
【特許文献１】特開２００８−０２５２７１号公報
【特許文献２】実開平５−１６９２５号公報
【発明の概要】
【発明が解決しようとする課題】
【０００６】
しかし、特許文献２に開示されたシステム天井における歩行路（キャットウオーク）では、下地バーとＣ型鋼材、Ｃ型鋼材と吊り止め材、吊り止め材と足場板などは、相互に固定されているものではなく、そのためこのような天井下地構造体を備える建築構造物が地震などによる揺れを受けると、歩行路自体が分解して床に落下してくる危険がある。このような危険を回避するためにそれぞれの要素をボルトやナット、或いは溶接などを用いて固定するとなると非常に手間が掛かり、このような歩行路の形成に非常にコストが掛かってしまうという問題があった。
【０００７】
本発明の目的は、かかる従来の問題点を解決するためになされたもので、野縁や野縁受けなどから構成される天井下地構造体の上を歩行可能な簡易な通路を短時間にかつ簡単に製作することが可能な天井下地構造体を提供することにある。
【課題を解決するための手段】
【０００８】
本発明は、建築構造物の躯体天井部に取り付けられた取付けボルトと、該取付けボルトに取り付けられたハンガーにより支持された野縁受けと、この野縁受けに連結された野縁とから構成される天井下地構造体であり、その特徴とするところは前記天井下地構造体上の歩行路形成予定箇所を横断する前記各野縁受けに装着される複数の保持金具と、一端部に継ぎ手部を備え、この継ぎ手部が他端部に嵌合して相互に接続可能な複数の細長い板体により構成された歩行板と、前記各板体に設けられた係止片と、この歩行板が前記保持金具の上部に載せられて通路とされるとき、前記各係止片に係合する、前記保持金具のそれぞれ上面に設けられた係止部とから構成され、前記各板体の前記係止片と前記保持金具の前記上面に設けられた前記係止部とが、前記板体をその長さ方向に移動可能にし、かつ幅方向及び上方向に係止し、前記歩行板が、前記各板体の前記各係止片を前記保持金具の前記係止部に係止させた状態で前記一端部の前記継ぎ手部を次の前記板体の前記他端部に順次嵌合して継ぎ足しながら繰り出して前記歩行路形成予定箇所の前記野縁受け上に設置されることにある。
【０００９】
本発明に係る天井下地構造体の他の実施形態としては、前記保持金具が、断面逆Ｕ字形を呈し、その溝部に前記野縁受けを相対的に嵌合するように前記野縁受けの上部から装着される。
【００１０】
本発明に係る天井下地構造体の他の実施形態としては、前記係止部が、前記保持金具の上面において前記野縁受けの長さ方向に形成された係入溝から構成されている。
【００１１】
本発明に係る天井下地構造体の他の実施形態としては、前記板体が、細長い基板と、該基板の両側縁部から張り出した一対の脚板と、これら脚板の前記側縁部とは反対側の下端縁から相対向する方向に張り出したフランジ部とから構成され、前記フランジ部が、前記保持金具の上面に形成された前記係止部に係止する係止片である。
【００１２】
本発明に係る天井下地構造体の他の実施形態としては、前記各板体の前記一端部に設けられた前記継ぎ手部が、前記板体の前記基板と前記両脚板の内面に取り付けられ、前記板体の前記一端部からその長さ方向外方に突出したコ字型継ぎ手から構成され、このコ字型継ぎ手が前記板体の前記他端に嵌合して継ぎ足されて前記歩行板となる。
【発明の効果】
【００１３】
本発明の天井下地構造体によれば、歩行板が、相互に接続可能な複数の細長い板体により構成され、これらの板体を天井下地構造体上の歩行路形成予定箇所を横断する各野縁受けに装着された複数の保持金具上の係止部に係止させながら順次接続して形成し得るようにしたので、天井下地構造体に簡単に歩行板を設置することができる。その結果、短い工期でかつ安価なコストで天井支持構造体に歩行板を設置することができることから、点検者や作業者が天井裏に入って迅速に電線や通信ケーブルの点検、修復、変更、新設など各種の工事を行うことができる。
【００１４】
また、本発明の天井下地構造体によれば、野縁受けに装着される保持金具は、断面逆Ｕ字形を呈し、その溝部に野縁受けを相対的に嵌合するように野縁受けの上部から装着するだけで取り付けられるので、保持金具を短時間にかつ多大な労力を必要とすることなく野縁受けに取り付けることができる。
【００１５】
また、本発明の天井下地構造体によれば、保持金具の上面に形成された係止部が、保持金具の上面において野縁受けの長さ方向に形成された係入溝から構成されているので、係止部を簡単かつ安価に製作することができる。
【００１６】
さらに、本発明の天井下地構造体によれば、板体が、細長い基板と、該基板の両側縁部から張り出した一対の脚板と、これら脚板の側縁部とは反対側の下端縁から相対向する方向に張り出したフランジ部とから構成され、フランジ部が、保持金具の上面に形成された係止部に係止する係止片であることから、複数の野縁受けの上に架け渡された歩行板が、保持金具に対して非常に安定して支持されているので、点検者や作業者が歩行板上を何らの不安もなく歩くことができる。
【００１７】
さらに、本発明の天井下地構造体によれば、各板体の一端部に設けられた継ぎ手部が、板体の基板と両脚板の内面に取り付けられ、板体の前記一端部からその長さ方向外方に突出したコ字型継ぎ手から構成されているので、複数の板体を継ぎ足して歩行板を形成するとき、相互の接続が強固であるので、歩行板の強度が低下することがない。
【図面の簡単な説明】
【００１８】
【図１】本発明の一実施形態に係る天井下地構造体を概略的に示す斜視図。
【図２】天井下地構造体の野縁受けに装着された保持金具の係止部に歩行板を取り付ける状態を示す端面図。
【図３】複数の板体を接続した形成された歩行板を示す斜視図。
【発明を実施するための形態】
【００１９】
以下、本発明の天井下地構造体を図に示される好適な一実施形態について詳細に説明する。本発明の一実施形態に係る天井下地構造体１０は、図１に示されるように、建築構造物の躯体天井部（図示せず）に取り付けられた取付けボルト１１と、該取付けボルト１１に取り付けられたハンガー１２と、該ハンガー１２により支持された野縁受け１３と、この野縁受け１３に連結された野縁１４とから構成されている。天井パネルＰは、この野縁１４にビスなどを用いて取り付けられる。
【００２０】
野縁受け１３は、通常、断面がコ字型の長尺材であり、ハンガー１２のＵ字状受け部１２ａの溝部に嵌合されて支持される。ハンガー１２は、その上部に形成されている取付け板１２ｂの孔に取付けボルト１１を相対的に挿通させるように該取付けボルト１１に取り付けられ、取付けボルト１１に螺合された２つのナット１５で取付け板１２ｂの下側締付け面と上側締付け面とから挟むように締め付けることで所定位置に固定される。このようにハンガー１２で支持された野縁受け１３には、歩行路形成予定箇所を横断する箇所に複数の保持金具１６が装着される。この保持金具１６は、断面逆Ｕ字形を呈し、その溝部１６ｃに野縁受け１３を相対的に嵌合するように野縁受け１３の上部から装着される。
【００２１】
すなわち、保持金具１６は、間隔をあけて対向しかつほぼ並行に配置された細長い一対の側板１６ａを備え、これら側板１６ａの一方の端縁（上縁）間には上板１６ｂが配置されている。この上板１６ｂは、各側板１６ａに接続されており、これにより、保持金具１６は、両側板１６ａの他方の端縁（下縁）側と長さ方向両端部側が開放した逆Ｕ字形となっている。両側板１６ａの間隔は、野縁受け１３がその間の溝部１６ｃに嵌合可能なように該野縁受け１３の幅寸法より僅かに大きな寸法で形成されている。また、保持金具１６の長さ方向一端部側（図１では保持金具１６の右側）における両側板１６ａの一部は、上板１６ｂに連接している上縁から自由端である下縁までの長さが他の部分より長い締結部１６ｄとされ、この締結部１６ｄの高さ、即ち上縁から下縁までの長さは少なくとも野縁受け１３の高さより長い。そして、これら締結部１６ｄにおいて、保持金具１６が、図２に示されるように野縁受け１３に装着されたとき、野縁受け１３より下側に突出する部分には、締結ボルト挿通用の孔１６ｅが形成されている。
【００２２】
保持金具１６の上板１６ｂには、図１及び図２から明らかなように係止部１７が取り付けられている。この係止部１７は、一本の細長い帯板１８から形成され、この帯板１８が保持金具１６における上板１６ｂの上面にその長さ方向に沿って載せられ、帯板１８の長さ方向中間部１８ａが上板１６に溶接又はリベットなどで固定されている。帯板１８の両端部１８ｂは、保持金具１６における上板１６ｂの上面との間にスリット１９を形成するように中間部１８ａに対し僅かに屈曲されている。このスリット１９が、後述する歩行板２０との係止溝として機能する。
【００２３】
歩行路形成予定箇所を横断する複数の野縁受け１３のそれぞれに装着された保持金具１６の上には、複数の細長い板体２１を接続して構成された歩行板２０が載せられ、かつ前述した係止部１７に係止されている。各板体２１は、図１〜図３に示されるようにリップの付いた長尺なみぞ形材で構成されている。具体的には、各板体２１は、通路面となる細長い基板２１ａと、その両側縁から基板２１ａに対してほぼ直角にかつ同方向に張り出した一対の脚板２１ｂと、両脚板２１ｂの縁部から相対向する方向にフランジ部として張り出した、基板２１ａにほぼ並行なリップ板２１ｃとから構成されている。このリップ板２１ｃが、保持金具１６における上板１６ｂの上面に取り付けられた係止部１７のスリット１９に入る係止片である。従って、帯板１８の両端部１８ｂが保持金具１６における上板１６ａの上面との間に形成する隙間は、板体２１におけるリップ板２１ｃの厚さとほぼ同じか、それより僅かに大きい寸法とされると共に、帯板１８の長さは、板体２１の両脚板２１ｂの相対向する内側面の距離より短く、かつ両リップ板２１ｃの相対向する端縁間の距離より長い。また、この条件の下で、スリット１９の奥行きは、リップ板２１ｃが係止し得る長さとされている。
【００２４】
各板体２１の一端部には、上面部２２ａとその両側縁から該上面部２２ａに対してほぼ直角に張り出した側面部２２ｂとから構成された継ぎ手部２２を備えている。この継ぎ手部２２は、１枚のアルミ板を曲げることにより一体に形成された所定長さ溝形材により構成されている。すなわち、この溝形材の約半分が板体２１の一端部に嵌合され、その内面に溶接などの手段により取付けられている。そして、板体２１の一端部から突出する溝形材の残余部分が継ぎ手部２２として機能する。言い換えれば、継ぎ手部２２の上面部２２ａは、板体２１の一端部からその内方に延長し、基板２１ａの内面に密着して固着され、また、各側面部２２ｂは、板体２１の一端部からその内方に延長し、両脚板２１ｂの内面に密着して固着されている。そのため、板体２１の一端部から突出している継ぎ手部２２は、当然に板体２１の他端部に嵌合可能となる。
【００２５】
この継ぎ手部２２の各側面部２２ｂには、連結用の孔２３が形成され、他方、板体２１の他端部における脚板２１ｂにも、継ぎ手部２２が板体２１の他端部に嵌合されたときに側面部２２ｂの孔２３に対応する位置に連結用の孔２４が形成されている。これにより、複数の板体２１が、継ぎ手部２２により接続されるとき、継ぎ手部２２の側面部２２ｂに形成された孔２３と接続された板体２１の他端部における脚板２１ｂに形成されている孔２４とが整合するので、重なり合ったこれらの孔２３，２４にボルト（図示せず）を通し、それにナットを螺合して締め付ける。これにより、接続された板体２１が、簡単に抜けることはなく、相互の完全な連結を図ることができる。
【００２６】
次に、前述した実施形態に係る天井下地構造体１０において、特に歩行板２０を形成する手順について説明する。本実施形態に係る天井下地構造体１０を形成するとき、最初に、定法に従って、多数の野縁受け１３が複数の取付けボルト１１のそれぞれに固定されたハンガー１２によって所定の高さ及び向きに支持され、これら野縁受け１３に複数の野縁１４がクリップ（図示せず）などを用いて連結される。このようにして多数の野縁受け１３と多数の野縁１４が格子状に組み立てられた後、歩行路を形成しようとする予定箇所を横断する各野縁受け１３にそれぞれ保持金具１６が装着される。保持金具１６は、その溝部１６ｃ内に野縁受け１３が相対的に嵌合するように各野縁受け１３に被せられる。保持金具１６は、このように野縁受け１３に被せるだけで装着できるので、その作業は非常に簡単である。保持金具１６は、野縁受け１３に嵌合させておくだけでもよいが、念のため締結部１６ｄの孔１６ｅに締結ボルトを通し、反対側からナットを螺合して固定しておくことも好ましい。
【００２７】
次いで、歩行板２０を構成する１つの板体２１が、野縁受け１３の長さ方向に対して直交する方向に向けて配置され、継ぎ手部２２の設けられていないその他端部が、１つの保持金具１６の上の係止部１７における両端側のスリット即ち係止溝１９にリップ板即ち係止片２１ｃを差し込んで係止するように保持金具１６の上に乗せられる。これにより、板体２１は、係止部１７に対して板体２１の長さ方向には動くが、上方向及び幅方向には係止されて動くことはない。そして、この板体２１は、その他端部において両リップ板２１ｃを係止部１７の各スリット（係止溝）１９に差し込んだ状態で歩行路形成予定方向に向かって押し出され、次の保持金具１６に到達すると、その上板１６ｂに設けられた係止部１７の両端側のスリット１９に両リップ板２１ｃが差し込まれて係止される。１つの板体２１の全長は、野縁受け１３の間隔より若干長い長さとされている。従って、１つの板体２１の移動先端である他端部が次の保持金具１６の上に到達したところで、この板体２１の一端部に設けられている継ぎ手部２２を他の１つの板体２１の他端部に差し込んで接続する。
【００２８】
その後、接続した他の１の板体２１を押し出し、この操作を繰り返す。これにより、作業者は、歩行路形成予定方向に自らが移動することなく、一箇所に留まって多数の板体２１を順次接続しながら送り出して行くだけであるので、歩行板２０の形成が非常に容易であり、歩行板２０の設置に多数の作業者を必要とせず１人でも可能である。なお、接続された板体２１どうしは、前述したように継ぎ手部２２が、接続された板体２１の他端部に差し込まれたとき、継ぎ手部２２の孔２３とこれに整合する板体２１の脚板２１ｂに形成された孔２４に締結ボルトを通してナットを螺合することにより堅固に接続することができるが、このような締結は必須のことではない。
【００２９】
以上説明したように、上記実施形態に係る天井下地構造体１０によれば、歩行板２０が、相互に接続可能な複数の細長い板体２１により構成され、これらの板体２１を天井下地構造体１０上の歩行路形成予定箇所を横断する各野縁受け１３に装着された複数の保持金具１６上の係止部１７に係止させながら順次接続して形成し得るようにしたので、天井下地構造体１０に容易に歩行板２０を設置することができる。これにより、短い工期でかつ安価なコストで天井支持構造体１０に歩行板２０を設置することができることから、点検者や作業者が天井裏に入って迅速に電線や通信ケーブルの点検、修復、変更、新設など各種の工事を行うことができる。
【００３０】
また、本実施形態の天井下地構造体１０によれば、該天井下地構造体を新設するときに、歩行路形成予定箇所を横断する野縁受け１３に予め保持金具１６を装着しておけば、電線や通信ケーブルの修理及び変更、新たな電線や通信ケーブルの設置、或いはこれら電線、通信ケーブル又は様々な設備の点検が必要となった際に、天井パネルＰに形成した点検口の一箇所から複数の板体２１を接続しながら送り出して歩行板２０を形成することができるので、天井パネルＰを外したりする必要なく当該点検等各種の作業を行うことができる。
【００３１】
さらに、本実施形態の天井下地構造体１０によれば、板体２１が、細長い基板２１ａと、この基板２１ａの両側縁部から張り出した一対の脚板２１ｂと、これら脚板２１ｂの側縁部とは反対側の下端縁から相対向する方向に張り出したフランジ部とから構成され、フランジ部が、保持金具の上面に形成された係止部に係止するリップ板（係止片）２１ｃであることから、複数の野縁受け１３の上に架け渡された歩行板２０が、保持金具１６に対して非常に安定して支持されているので、点検者や作業者が歩行板２０上を何らの不安もなく歩くことができる。
【符号の説明】
【００３２】
１０    天井下地構造体
１１    取付けボルト
１２    野縁受けハンガー
１３    野縁受け
１４    野縁
１６    保持金具
１６ａ    上板
１６ｃ    溝部
１７    係止部
１９    スリット（係止溝）
２０    歩行板
２１    板体
２１ｃ    リップ板（係止片）
２２    継ぎ手部
【図１】
2010255308.tif 000003
【図２】
2010255308.tif 000004
【図３】
2010255308.tif 000005